【手続補正書】
【提出日】平成17年10月13日(2005.10.13)
【手続補正１】
【補正対象書類名】明細書
【補正対象項目名】発明の名称
【補正方法】変更
【補正の内容】
【発明の名称】情報配信装置、情報配信方法をコンピュータに実現させるためのプログラムおよびそのプログラムを記録した記録媒体
【手続補正２】
【補正対象書類名】明細書
【補正対象項目名】特許請求の範囲
【補正方法】変更
【補正の内容】
【特許請求の範囲】
【請求項１】  端末および情報提供装置と通信するための通信手段と、
前記情報提供装置から送信されたオリジナル情報、前記オリジナル情報に基づいて作成された配信用情報および前記配信用情報を作成するために必要な作成用データを記憶するための記憶手段と、
前記通信手段および前記記憶手段を制御するための制御手段とを含み、
前記制御手段は、
前記通信手段を介して前記端末から受信した第１の要求データに基づいて作成した第２の要求データを、前記情報提供装置に送信するように前記通信手段を制御するための手段と、
前記通信手段を介して前記情報提供装置から受信したオリジナル情報に含まれる、前記情報提供装置を特定する情報が、前記作成用データに基づいて変更された情報を含む配信用情報を作成するための作成手段と、
前記端末に前記配信用情報を送信するように前記通信手段を制御するための手段とを含む、情報配信装置。
【請求項２】  前記作成手段は、前記情報提供装置を特定する情報を、予め定められた情報に変更するように前記配信用情報を作成するための手段を含む、請求項１に記載の情報配信装置。
【請求項３】  前記作成手段は、前記情報提供装置を特定する情報を、情報配信装置自体を特定する情報に変更するように前記配信用情報を作成するための手段を含む、請求項２に記載の情報配信装置。
【請求項４】  端末および情報提供装置と通信するための通信手段と、
前記情報提供装置から送信されたオリジナル情報、前記オリジナル情報に基づいて作成された配信用情報および前記配信用情報を作成するために必要な作成用データを記憶するための記憶手段と、
前記通信手段および前記記憶手段を制御するための制御手段とを含み、
前記制御手段は、
前記通信手段を介して前記端末から受信した第１の要求データに基づいて作成した第２の要求データを、前記情報提供装置に送信するように前記通信手段を制御するための手段と、
前記通信手段を介して前記情報提供装置から受信したオリジナル情報に含まれる、前記情報提供装置を特定する情報を削除するように前記配信用情報を作成するための作成手段と、
前記端末に前記配信用情報を送信するように前記通信手段を制御するための手段とを含む、情報配信装置。
【請求項５】  前記記憶手段は、前記端末に前記配信用情報を提供するか否かを判断するための判断情報を記憶するための判断情報記憶手段をさらに含み、
前記制御手段は、前記判断情報と、前記通信手段が受信した前記端末からの情報とに基づいて、前記端末に配信用情報を送信するか否かを判断するための判断手段をさらに含む、請求項１〜４のいずれかに記載の情報配信装置。
【請求項６】  前記判断情報記憶手段は、前記オリジナル情報に対応づけて前記判断情報を記憶するための手段を含み、
前記判断手段は、前記オリジナル情報に対応づけて記憶された前記判断情報と、前記通信手段が受信した、前記判断情報に対応する、前記端末からの情報とに基づいて、前記端末に前記配信用情報を送信するか否かを判断するための手段を含む、請求項５に記載の情報配信装置。
【請求項７】  前記情報配信装置は、前記配信用情報の送信に対する課金額を計算するための手段をさらに含む、請求項１〜６のいずれかに記載の情報配信装置。
【請求項８】  端末および情報提供装置と通信する通信ステップと、
前記情報提供装置から送信されたオリジナル情報、前記オリジナル情報に基づいて作成された配信用情報および前記配信用情報を作成するために必要な作成用データを記憶する記憶ステップと、
前記通信ステップおよび前記記憶ステップを制御する制御ステップとを含み、
前記制御ステップは、
前記通信ステップを介して前記端末から受信した第１の要求データに基づいて作成した第２の要求データを、前記情報提供装置に送信するように前記通信手段を制御するステップと、
前記通信ステップを介して前記情報提供装置から受信したオリジナル情報に含まれる、前記情報提供装置を特定する情報が、前記作成用データに基づいて変更された情報を含む配信用情報を作成する作成ステップと、
前記端末に前記配信用情報を送信するように前記通信ステップを制御するステップとを含む、情報配信方法をコンピュータに実現させるためのプログラム。
【請求項９】  請求項８に記載のプログラムを記録した記録媒体。
【手続補正３】
【補正対象書類名】明細書
【補正対象項目名】０００１
【補正方法】変更
【補正の内容】
【０００１】
【発明の属する技術分野】
本発明は、ネットワークを介する情報配信装置、情報配信方法をコンピュータに実現させるためのプログラムおよびそのプログラムを記録した記録媒体に関し、特にポータルサイトを介して情報を提供する情報配信装置、情報配信方法をコンピュータに実現させるためのプログラムおよびそのプログラムを記録した記録媒体に関する。
【手続補正４】
【補正対象書類名】明細書
【補正対象項目名】０００８
【補正方法】変更
【補正の内容】
【０００８】
本発明は、上述の問題点を解決するためになされたものであって、その目的は、不正閲覧を防止しながら、配信用情報を閲覧することができる情報配信装置、情報配信方法をコンピュータに実現させるためのプログラムおよびそのプログラムを記録した記憶媒体を提供することである。
【手続補正５】
【補正対象書類名】明細書
【補正対象項目名】００１５
【補正方法】変更
【補正の内容】
【００１５】
第４の発明に係る情報配信装置は、端末および情報提供装置と通信するための通信手段と、情報提供装置から送信されたオリジナル情報、オリジナル情報に基づいて作成された配信用情報および配信用情報を作成するために必要な作成用データを記憶するための記憶手段と、通信手段および記憶手段を制御するための制御手段とを含む。制御手段は、通信手段を介して端末から受信した第１の要求データに基づいて作成した第２の要求データを、情報提供装置に送信するように通信手段を制御するための手段と、通信手段を介して情報提供装置から受信したオリジナル情報に含まれる、情報提供装置を特定する情報を削除するように配信用情報を作成するための作成手段と、端末に配信用情報を送信するように通信手段を制御するための手段とを含む。
【手続補正６】
【補正対象書類名】明細書
【補正対象項目名】００２３
【補正方法】変更
【補正の内容】
【００２３】
第８の発明に係る情報配信方法をコンピュータに実現させるためのプログラムは、端末および情報提供装置と通信する通信ステップと、情報提供装置から送信された、オリジナル情報、オリジナル情報に基づいて作成された配信用情報および配信用情報を作成するために必要な作成用データを記憶する記憶ステップと、通信ステップおよび記憶ステップを制御する制御ステップとを含む。制御ステップは、通信ステップを介して端末から受信した第１の要求データに基づいて作成した第２の要求データを、情報提供装置に送信するように通信手段を制御するステップと、通信ステップを介して情報提供装置から受信したオリジナル情報に含まれる、情報提供装置を特定する情報が、作成用データに基づいて変更された情報を含む配信用情報を作成する作成ステップと、端末に配信用情報を送信するように通信ステップを制御するステップとを含む情報配信方法をコンピュータに実現させる。
【手続補正７】
【補正対象書類名】明細書
【補正対象項目名】００２４
【補正方法】変更
【補正の内容】
【００２４】
第８の発明によると、通信ステップにおいて、端末および情報提供装置と通信する。制御ステップでは、第１の要求データを受信したことに基づいて、通信ステップにおいて第２の要求データを送信させる。記憶ステップでは、第２の要求データの送信により通信ステップにおいて情報提供装置から受信したオリジナル情報、これに基づいて作成された配信用情報および配信用情報を作成するために必要なデータを記憶する。作成ステップでは、記憶ステップにおいて記憶されたオリジナル情報から、情報提供装置を特定する情報の内容が変更されるように、配信用情報を作成する。制御ステップでは、作成ステップにおいて作成された配信用情報を、通信ステップにおいて送信させる。これにより、端末には情報提供装置を特定する情報について、オリジナル情報とは内容が変更された配信用情報を提供するので、端末が直接情報提供装置を特定してオリジナル情報を取得することは困難になる。その結果、不正閲覧を防止しながら、配信用情報を閲覧することができる情報配信方法をコンピュータに実現させるためのプログラムを提供することができる。
【手続補正８】
【補正対象書類名】明細書
【補正対象項目名】００２５
【補正方法】変更
【補正の内容】
【００２５】
第９の発明に係る記録媒体は、第８の発明に係るプログラムを記録したものである。
【手続補正９】
【補正対象書類名】明細書
【補正対象項目名】００２６
【補正方法】変更
【補正の内容】
【００２６】
第９の発明によると、不正閲覧を防止しながら、配信用情報を閲覧することができる情報配信方法をコンピュータに実現させるためのプログラムをコンピュータに実行させるために記録された記録媒体を提供することができる。
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】削除
【補正の内容】
【手続補正２３】
【補正対象書類名】明細書
【補正対象項目名】００４０
【補正方法】削除
【補正の内容】